(57)【要約】【課題】  表示部筐体が操作部筐体に対して如何なる角度で表示している場合であっても、最適なステレオ音声再生を行う。【解決手段】  操作部筐体１０１と表示部筐体１０２とは、回転式ヒンジ部１０３にて結合され、該回転式ヒンジ部１０３を回転軸中心として表示部筐体１０２が回転する構造になっている。表示部筐体１０２には、表示部１０４の所定の位置に３個のスピーカ１０５，１０６，１０７が搭載されている。携帯端末２００は、回転式ヒンジ部１０３の角度を検出し、表示部１０４に表示している正立した表示映像に対して、最右側に位置するスピーカと最左側に位置するスピーカとを特定する。そして、右音声を正立している表示映像の右側から出力し、左音声を表示映像の左側から出力する。【選択図】  図１
2006174277.tif 000002
【特許請求の範囲】
【請求項１】
表示手段が設けられた表示部筐体とキー入力手段が設けられた操作部筐体とが回転式ヒンジ手段にて結合され、該回転式ヒンジ手段を回転軸中心として操作部筐体に対して表示部筐体が回転する携帯端末において、
前記表示手段の周囲に配置された複数のスピーカと、
前記操作部筐体に対する前記表示部筐体の角度を検出する検出手段と、
前記検出手段によって検出された前記表示部筐体の角度に基づいて、前記複数のスピーカのうち、前記表示手段に表示されている表示映像に対して最左側に位置するスピーカと、前記表示手段に表示されている表示映像に対して最右側に位置するスピーカとを特定するスピーカ特定手段と、
前記スピーカ特定手段によって特定された、前記最右側に位置するスピーカと前記最左側に位置するスピーカとによってステレオ音声を再生する音声再生制御手段と
を具備することを特徴とする携帯端末。
【請求項２】
前記複数のスピーカの各々に対して、ステレオ音声の右音声と左音声との出力を切り替える音声出力切替手段を具備し、
前記音声再生制御手段は、前記音声出力切替手段による切り替え動作を制御することにより、前記最右側に位置するスピーカからステレオ音声の右音声を出力し、前記最左側に位置するスピーカから左音声を出力してステレオ音声を再生することを特徴とする請求項１記載の携帯端末。
【請求項３】
前記複数のスピーカの各々に対して、ステレオ音声の右音声と左音声とを混合して供給する混合手段を具備し、
前記音声再生制御手段は、前記検出手段によって検出された前記表示部筐体の角度に基づいて前記混合手段による混合比を制御することにより、前記最右側に位置するスピーカと前記最左側に位置するスピーカとによってステレオ音声を再生することを特徴とする請求項１記載の携帯端末。
【請求項４】
前記検出手段は、前記回転式ヒンジ手段の角度を検出する角度検出手段であることを特徴とする請求項１ないし３のいずれかに記載の携帯端末。
【請求項５】
前記検出手段は、前記表示手段の水平面に対する角度を検出する傾き検出手段であることを特徴とする請求項１ないし３のいずれかに記載の携帯端末。
【請求項６】
前記検出手段によって検出された前記表示筐体の角度に基づいて、前記表示手段に表示される表示映像が正立するように表示映像を加工する映像加工手段を具備することを特徴とする請求項１ないし３のいずれかに記載の携帯端末。
【請求項７】
前記複数のスピーカは、前記表示手段の下端部左側に配置された第１のスピーカと、前記表示手段の下端部右側に配置された第２のスピーカと、前記表示手段の上端中央部に配置された第３のスピーカとからなることを特徴とする請求項１ないし６のいずれかに記載の携帯端末。
【請求項８】
前記複数のスピーカは、前記表示手段の４隅近傍に配置された、第１のスピーカと、第２のスピーカと、第３のスピーカと、第４のスピーカとからなることを特徴とする請求項１ないし６のいずれかに携帯端末。
【請求項９】
表示手段が設けられた表示部筐体とキー入力手段が設けられた操作部筐体とが回転式ヒンジ手段にて結合され、該回転式ヒンジ手段を回転軸中心として操作部筐体に対して表示部筐体が回転する携帯端末でのステレオ再生方法において、
前記操作部筐体に対する前記表示部筐体の角度を検出し、前記検出された前記表示部筐体の角度に基づいて、前記表示手段の周囲に配置された複数のスピーカのうち、前記表示手段に表示されている表示映像に対して最左側に位置するスピーカと、前記表示手段に表示されている表示映像に対して最右側に位置するスピーカとを特定し、該特定された前記最右側に位置するスピーカと前記最左側に位置するスピーカとによってステレオ音声を再生することを特徴とするステレオ再生方法。
【請求項１０】
前記複数のスピーカの各々に対する、ステレオ音声の右音声と左音声との出力を切り替え制御することにより、特定された最右側に位置するスピーカからステレオ音声の右音声を出力し、最左側に位置するスピーカから左音声を出力してステレオ音声を再生することを特徴とする請求項９記載のステレオ再生方法。
【請求項１１】
前記表示部筐体の角度に基づいて、前記複数のスピーカの各々に対する、ステレオ音声の右音声と左音声との混合比を制御することにより、前記最右側に位置するスピーカと前記最左側に位置するスピーカとによってステレオ音声を再生することを特徴とする請求項９記載のステレオ再生方法。
【請求項１２】
前記表示部筐体の角度を、前記回転式ヒンジ手段の角度として検出することを特徴とする請求項９ないし１１のいずれかに記載のステレオ再生方法。
【請求項１３】
前記表示部筐体の角度を、前記表示手段の水平面に対する角度として検出することを特徴とする請求項９ないし１１のいずれかに記載のステレオ再生方法。
【請求項１４】
前記表示筐体の角度に基づいて、前記表示手段に表示される表示映像が正立するように表示映像を加工することを特徴とする請求項９ないし１３のいずれかに記載のステレオ再生方法。
【請求項１５】
表示手段が設けられた表示部筐体とキー入力手段が設けられた操作部筐体とが回転式ヒンジ手段にて結合され、該回転式ヒンジ手段を回転軸中心として操作部筐体に対して表示部筐体が回転する携帯端末でステレオ音声を再生するステレオ再生プログラムにおいて、
前記操作部筐体に対する前記表示部筐体の角度を検出する検出ステップと、
前記検出された前記表示部筐体の角度に基づいて、前記表示手段の周囲に配置された複数のスピーカのうち、前記表示手段に表示されている表示映像に対して最左側に位置するスピーカと、前記表示手段に表示されている表示映像に対して最右側に位置するスピーカとを特定する特定ステップと、
該特定された前記最右側に位置するスピーカと前記最左側に位置するスピーカとによってステレオ音声を再生する再生ステップと
をコンピュータに実行させることを特徴とするステレオ再生プログラム。
【請求項１６】
前記再生ステップは、前記複数のスピーカの各々に対する、ステレオ音声の右音声と左音声との出力を切り替え制御することにより、前記最右側に位置するスピーカからステレオ音声の右音声を出力し、前記最左側に位置するスピーカから左音声を出力してステレオ音声を再生することを特徴とする請求項１５記載のステレオ再生プログラム。
【請求項１７】
前記再生ステップは、前記表示部筐体の角度に基づいて、前記複数のスピーカの各々に対する、ステレオ音声の右音声と左音声との混合比を制御することにより、前記最右側に位置するスピーカと前記最左側に位置するスピーカとによってステレオ音声を再生することを特徴とする請求項１５記載のステレオ再生プログラム。
【発明の詳細な説明】
【技術分野】
【０００１】
本発明は、携帯端末、ステレオ再生方法およびステレオ再生プログラムに関する。
【背景技術】
【０００２】
ステレオ音声再生機能を有する携帯端末において、表示画面の対向する２つの角部に近接してスピーカを設けてステレオ音声再生用のスピーカとし、表示画面を縦長にして使用するか、横長にして使用するかに応じて、ステレオ音声の夫々のチャンネルを再生するスピーカを切り替えて、常に表示画面から見て、右側に配置されるスピーカで右チャンネルを再生し、左側に配置されるスピーカで左チャンネルを再生するようにした携帯端末が提案されている（例えば特許文献１参照）。
【特許文献１】特開２００３−７８６０１号公報、図５
【発明の開示】
【発明が解決しようとする課題】
【０００３】
ところで、上述した従来技術では、操作部筐体と表示部筐体とからなる２つ折りの構造を有する、ステレオ音声再生機能を有する携帯端末を想定している。そのため、開いた状態の横置きの場合（表示部筐体が左側、操作部筐体が右側、もしくは表示部筐体が右側、操作部筐体が左側）や、開いた状態の縦置きの場合（表示部筐体が上側、操作部筐体が下側）に、表示部の左右からステレオ音声再生を行うようになっている。しかしながら、表示部筐体が斜めの状態で表示している場合のステレオ音声再生に対しては何ら言及されていなかった。
【０００４】
そこで本発明は、表示部筐体が操作部筐体に対して如何なる角度で表示している場合であっても、最適なステレオ音声再生を行うことができる携帯端末、ステレオ再生方法およびステレオ再生プログラムを提供することを目的とする。
【課題を解決するための手段】
【０００５】
上記目的達成のため、請求項１記載の発明による携帯端末は、表示手段が設けられた表示部筐体とキー入力手段が設けられた操作部筐体とが回転式ヒンジ手段にて結合され、該回転式ヒンジ手段を回転軸中心として操作部筐体に対して表示部筐体が回転する携帯端末において、前記表示手段の周囲に配置された複数のスピーカと、前記操作部筐体に対する前記表示部筐体の角度を検出する検出手段と、前記検出手段によって検出された前記表示部筐体の角度に基づいて、前記複数のスピーカのうち、前記表示手段に表示されている表示映像に対して最左側に位置するスピーカと、前記表示手段に表示されている表示映像に対して最右側に位置するスピーカとを特定するスピーカ特定手段と、前記スピーカ特定手段によって特定された、前記最右側に位置するスピーカと前記最左側に位置するスピーカとによってステレオ音声を再生する音声再生制御手段とを具備することを特徴とする。
【０００６】
また、好ましい態様として、例えば請求項２記載のように、請求項１記載の携帯端末において、前記複数のスピーカの各々に対して、ステレオ音声の右音声と左音声との出力を切り替える音声出力切替手段を具備し、前記音声再生制御手段は、前記音声出力切替手段による切り替え動作を制御することにより、前記最右側に位置するスピーカからステレオ音声の右音声を出力し、前記最左側に位置するスピーカから左音声を出力してステレオ音声を再生するようにしてもよい。
【０００７】
また、好ましい態様として、例えば請求項３記載のように、請求項１記載の携帯端末において、前記複数のスピーカの各々に対して、ステレオ音声の右音声と左音声とを混合して供給する混合手段を具備し、前記音声再生制御手段は、前記検出手段によって検出された前記表示部筐体の角度に基づいて前記混合手段による混合比を制御することにより、前記最右側に位置するスピーカと前記最左側に位置するスピーカとによってステレオ音声を再生するようにしてもよい。
【０００８】
また、好ましい態様として、例えば請求項４記載のように、請求項１ないし３のいずれかに記載の携帯端末において、前記検出手段は、前記回転式ヒンジ手段の角度を検出する角度検出手段であってもよい。
【０００９】
また、好ましい態様として、例えば請求項５記載のように、請求項１ないし３のいずれかに記載の携帯端末において、前記検出手段は、前記表示手段の水平面に対する角度を検出する傾き検出手段であってもよい。
【００１０】
また、好ましい態様として、例えば請求項６記載のように、請求項１ないし３のいずれかに記載の携帯端末において、前記検出手段によって検出された前記表示筐体の角度に基づいて、前記表示手段に表示される表示映像が正立するように表示映像を加工する映像加工手段を具備するようにしてもよい。
【００１１】
また、好ましい態様として、例えば請求項７記載のように、請求項１ないし６のいずれかに記載の携帯端末において、前記複数のスピーカは、前記表示手段の下端部左側に配置された第１のスピーカと、前記表示手段の下端部右側に配置された第２のスピーカと、前記表示手段の上端中央部に配置された第３のスピーカとからなるようにしてもよい。
【００１２】
また、好ましい態様として、例えば請求項８記載のように、請求項１ないし６のいずれかに携帯端末において、前記複数のスピーカは、前記表示手段の４隅近傍に配置された、第１のスピーカと、第２のスピーカと、第３のスピーカと、第４のスピーカとからなるようにしてもよい。
【００１３】
また、上記目的達成のため、請求項９記載の発明によるステレオ再生方法は、表示手段が設けられた表示部筐体とキー入力手段が設けられた操作部筐体とが回転式ヒンジ手段にて結合され、該回転式ヒンジ手段を回転軸中心として操作部筐体に対して表示部筐体が回転する携帯端末でのステレオ再生方法において、前記操作部筐体に対する前記表示部筐体の角度を検出し、前記検出された前記表示部筐体の角度に基づいて、前記表示手段の周囲に配置された複数のスピーカのうち、前記表示手段に表示されている表示映像に対して最左側に位置するスピーカと、前記表示手段に表示されている表示映像に対して最右側に位置するスピーカとを特定し、該特定された前記最右側に位置するスピーカと前記最左側に位置するスピーカとによってステレオ音声を再生することを特徴とする。
【００１４】
また、好ましい態様として、例えば請求項１０記載のように、請求項９記載のステレオ再生方法において、前記複数のスピーカの各々に対する、ステレオ音声の右音声と左音声との出力を切り替え制御することにより、特定された最右側に位置するスピーカからステレオ音声の右音声を出力し、最左側に位置するスピーカから左音声を出力してステレオ音声を再生するようにしてもよい。
【００１５】
また、好ましい態様として、例えば請求項１１記載のように、請求項９記載のステレオ再生方法において、前記表示部筐体の角度に基づいて、前記複数のスピーカの各々に対する、ステレオ音声の右音声と左音声との混合比を制御することにより、前記最右側に位置するスピーカと前記最左側に位置するスピーカとによってステレオ音声を再生するようにしてもよい。
【００１６】
また、好ましい態様として、例えば請求項１２記載のように、請求項９ないし１１のいずれかに記載のステレオ再生方法において、前記表示部筐体の角度を、前記回転式ヒンジ手段の角度として検出するようにしてもよい。
【００１７】
また、好ましい態様として、例えば請求項１３記載のように、請求項９ないし１１のいずれかに記載のステレオ再生方法において、前記表示部筐体の角度を、前記表示手段の水平面に対する角度として検出するようにしてもよい。
【００１８】
また、好ましい態様として、例えば請求項１４記載のように、請求項９ないし１３のいずれかに記載のステレオ再生方法において、前記表示筐体の角度に基づいて、前記表示手段に表示される表示映像が正立するように表示映像を加工するようにしてもよい。
【００１９】
また、上記目的達成のため、請求項１５記載の発明によるステレオ再生プログラムは、表示手段が設けられた表示部筐体とキー入力手段が設けられた操作部筐体とが回転式ヒンジ手段にて結合され、該回転式ヒンジ手段を回転軸中心として操作部筐体に対して表示部筐体が回転する携帯端末でステレオ音声を再生するステレオ再生プログラムにおいて、前記操作部筐体に対する前記表示部筐体の角度を検出する検出ステップと、前記検出された前記表示部筐体の角度に基づいて、前記表示手段の周囲に配置された複数のスピーカのうち、前記表示手段に表示されている表示映像に対して最左側に位置するスピーカと、前記表示手段に表示されている表示映像に対して最右側に位置するスピーカとを特定する特定ステップと、該特定された前記最右側に位置するスピーカと前記最左側に位置するスピーカとによってステレオ音声を再生する再生ステップとをコンピュータに実行させることを特徴とする。
【００２０】
また、好ましい態様として、例えば請求項１６記載のように、請求項１５記載のステレオ再生プログラムにおいて、前記再生ステップは、前記複数のスピーカの各々に対する、ステレオ音声の右音声と左音声との出力を切り替え制御することにより、前記最右側に位置するスピーカからステレオ音声の右音声を出力し、前記最左側に位置するスピーカから左音声を出力してステレオ音声を再生するようにしてもよい。
【００２１】
また、好ましい態様として、例えば請求項１７記載のように、請求項１５記載のステレオ再生プログラムにおいて、前記再生ステップは、前記表示部筐体の角度に基づいて、前記複数のスピーカの各々に対する、ステレオ音声の右音声と左音声との混合比を制御することにより、前記最右側に位置するスピーカと前記最左側に位置するスピーカとによってステレオ音声を再生するようにしてもよい。
【発明の効果】
【００２２】
請求項１記載の発明によれば、検出手段により、操作部筐体に対する表示部筐体の角度を検出し、スピーカ特定手段により、検出された表示部筐体の角度に基づいて、表示手段の周囲に配置された複数のスピーカのうち、前記表示手段に表示されている表示映像に対して最左側に位置するスピーカと、前記表示手段に表示されている表示映像に対して最右側に位置するスピーカとを特定し、音声再生制御手段により、前記スピーカ特定手段によって特定された、前記最右側に位置するスピーカと前記最左側に位置するスピーカとによってステレオ音声を再生するようにしたので、表示部筐体が斜めの状態で表示している場合でも、最適なステレオ音声再生を行うことができるという利点が得られる。
【００２３】
また、請求項２記載の発明によれば、前記音声再生制御手段により、複数のスピーカの各々に対して、ステレオ音声の右音声と左音声との出力を切り替える音声出力切替手段による切り替え動作を制御することにより、前記最右側に位置するスピーカからステレオ音声の右音声を出力し、前記最左側に位置するスピーカから左音声を出力してステレオ音声を再生するようにしたので、表示部筐体が斜めの状態で表示している場合でも、最適なステレオ音声再生を行うことができるという利点が得られる。
【００２４】
また、請求項３記載の発明によれば、前記音声再生制御手段により、前記検出手段によって検出された前記表示部筐体の角度に基づいて、前記複数のスピーカの各々に対してステレオ音声の右音声と左音声とを混合して供給する混合手段による混合比を制御することにより、前記最右側に位置するスピーカと前記最左側に位置するスピーカとによってステレオ音声を再生するようにしたので、表示部筐体が斜めの状態で表示している場合でも、最適なステレオ音声再生を行うことができるという利点が得られる。
【００２５】
また、請求項４記載の発明によれば、前記検出手段を、前記回転式ヒンジ手段の角度を検出する角度検出手段としたので、操作部筐体に対する表示部筐体の角度を検出することができ、表示部筐体が斜めの状態で表示している場合でも、最適なステレオ音声再生を行うことができるという利点が得られる。
【００２６】
また、請求項５記載によれば、前記検出手段を、前記表示手段の水平面に対する角度を検出する傾き検出手段としたので、表示手段の水平面に対する角度を検出することができ、表示部筐体が斜めの状態で表示している場合でも、最適なステレオ音声再生を行うことができるという利点が得られる。
【００２７】
また、請求項６記載の発明によれば、映像加工手段により、前記検出手段によって検出された前記表示筐体の角度に基づいて、前記表示手段に表示される表示映像が正立するように表示映像を加工するようにしたので、表示部筐体が斜めの状態で表示している場合でも、表示部筐体における表示部の表示画面の向き（正立方向）に応じて、その表示している表示部に最適なステレオ音声再生を行うことができるという利点が得られる。
【００２８】
また、請求項７記載の発明によれば、前記複数のスピーカを、前記表示手段の下端部左側に配置された第１のスピーカと、前記表示手段の下端部右側に配置された第２のスピーカと、前記表示手段の上端中央部に配置された第３のスピーカとからなるようにしたので、表示部筐体が斜めの状態で表示している場合でも、最適なステレオ音声再生を行うことができるという利点が得られる。
【００２９】
また、請求項８記載の発明によれば、前記複数のスピーカを、前記表示手段の４隅近傍に配置された、第１のスピーカと、第２のスピーカと、第３のスピーカと、第４のスピーカとからなるようにしたので、表示部筐体が斜めの状態で表示している場合でも、より効果的に最適なステレオ音声再生を行うことができるという利点が得られる。
【００３０】
また、請求項９記載によれば、前記操作部筐体に対する前記表示部筐体の角度を検出し、前記検出された前記表示部筐体の角度に基づいて、前記表示手段の周囲に配置された複数のスピーカのうち、前記表示手段に表示されている表示映像に対して最左側に位置するスピーカと、前記表示手段に表示されている表示映像に対して最右側に位置するスピーカとを特定し、該特定された前記最右側に位置するスピーカと前記最左側に位置するスピーカとによってステレオ音声を再生するようにしたので、表示部筐体が斜めの状態で表示している場合でも、最適なステレオ音声再生を行うことができるという利点が得られる。
【００３１】
また、請求項１０記載の発明によれば、前記複数のスピーカの各々に対する、ステレオ音声の右音声と左音声との出力を切り替え制御することにより、特定された最右側に位置するスピーカからステレオ音声の右音声を出力し、最左側に位置するスピーカから左音声を出力してステレオ音声を再生するようにしたので、表示部筐体が斜めの状態で表示している場合でも、最適なステレオ音声再生を行うことができるという利点が得られる。
【００３２】
また、請求項１１記載の発明によれば、前記表示部筐体の角度に基づいて、前記複数のスピーカの各々に対する、ステレオ音声の右音声と左音声との混合比を制御することにより、前記最右側に位置するスピーカと前記最左側に位置するスピーカとによってステレオ音声を再生するようにしたので、表示部筐体が斜めの状態で表示している場合でも、最適なステレオ音声再生を行うことができるという利点が得られる。
【００３３】
また、請求項１２記載によれば、前記表示部筐体の角度を、前記回転式ヒンジ手段の角度として検出するようにしたので、操作部筐体に対する表示部筐体の角度を検出することができ、表示部筐体が斜めの状態で表示している場合でも、最適なステレオ音声再生を行うことができるという利点が得られる。
【００３４】
また、請求項１３記載の発明によれば、前記表示部筐体の角度を、前記表示手段の水平面に対する角度として検出するようにしたので、表示手段の水平面に対する角度を検出することができ、表示部筐体が斜めの状態で表示している場合でも、最適なステレオ音声再生を行うことができるという利点が得られる。
【００３５】
また、請求項１４記載によれば、前記表示筐体の角度に基づいて、前記表示手段に表示される表示映像が正立するように表示映像を加工するようにしたので、表示部筐体が斜めの状態で表示している場合でも、表示部筐体における表示部の表示画面の向き（正立方向）に応じて、その表示している表示部に最適なステレオ音声再生を行うことができるという利点が得られる。
【００３６】
また、請求項１５記載の発明によれば、前記操作部筐体に対する前記表示部筐体の角度を検出する検出ステップと、前記検出された前記表示部筐体の角度に基づいて、前記表示手段の周囲に配置された複数のスピーカのうち、前記表示手段に表示されている表示映像に対して最左側に位置するスピーカと、前記表示手段に表示されている表示映像に対して最右側に位置するスピーカとを特定する特定ステップと、該特定された前記最右側に位置するスピーカと前記最左側に位置するスピーカとによってステレオ音声を再生する再生ステップとをコンピュータに実行させるようにしたので、表示部筐体が斜めの状態で表示している場合でも、最適なステレオ音声再生を行うことができるという利点が得られる。
【００３７】
また、請求項１６記載によれば、前記再生ステップで、前記複数のスピーカの各々に対する、ステレオ音声の右音声と左音声との出力を切り替え制御することにより、前記最右側に位置するスピーカからステレオ音声の右音声を出力し、前記最左側に位置するスピーカから左音声を出力してステレオ音声を再生するようにしたので、表示部筐体が斜めの状態で表示している場合でも、最適なステレオ音声再生を行うことができるという利点が得られる。
【００３８】
また、請求項１７記載の発明によれば、前記再生ステップで、前記表示部筐体の角度に基づいて、前記複数のスピーカの各々に対する、ステレオ音声の右音声と左音声との混合比を制御することにより、前記最右側に位置するスピーカと前記最左側に位置するスピーカとによってステレオ音声を再生するようにしたので、表示部筐体が斜めの状態で表示している場合でも、最適なステレオ音声再生を行うことができるという利点が得られる。
【発明を実施するための最良の形態】
【００３９】
以下、本発明の実施の形態を、図面を参照して説明する。なお、本第１実施形態では、回転式ヒンジ部を有する携帯端末において、回転式ヒンジ部の角度が如何なる角度においてもステレオ音声を正しく再生する方法について説明する。
【００４０】
Ａ．第１実施形態
Ａ−１．第１実施形態の構成
次に、図１は、本第１実施形態によるステレオ音声再生機能付携帯端末２００（以下、単に携帯端末２００と呼ぶ）の操作部筐体に対する表示部筐体の回転角度に応じてステレオ音声を正しく出力する状態を示す模式図である。本第１実施形態による携帯端末２００は、図１（ａ）〜（ｈ）に示すように、操作部筐体１０１と表示部筐体１０２とが、回転式ヒンジ部１０３にて結合され、該回転式ヒンジ部１０３を回転軸中心として操作部筐体１０１に対して表示部筐体１０２が回転する構造になっている。
【００４１】
携帯端末２００は、回転式ヒンジ部１０３を回転軸中心として、図１（ａ）から図１（ｂ）（表示部１０４が斜めに傾いた状態）に回転、次に図１（ｃ）、図１（ｄ）と順次回転し、図１（ｅ）では操作部筐体１０１と表示部筐体１０２が重なった状態となる。さらに、順次回転して図１（ｆ）、図１（ｇ）、図１（ｈ）、図１（ａ）まで、操作部筐体１０１に対して表示部筐体１０２が１回転することが可能となっている。
【００４２】
本発明の携帯端末２００の表示部筐体１０２には、表示部１０４と、３個のスピーカ１０５，１０６，１０７が搭載されている。図１（ａ）の状態においては、スピーカ１０５は、表示部１０４の左下方に、スピーカ１０６は、表示部１０４の右下方に、スピーカ１０７は、表示部１０４の上方に、それぞれ位置する。操作部筐体１０１は、ユーザからの指示操作を受け付けるための操作部２０９を有している。
【００４３】
次に、図２は、本発明の第１実施形態によるステレオ音声再生機能付携帯端末の略構成を示すブロック図である。図において、携帯端末２００は、映像再生部２０１、音声再生部２０２、ヒンジ角度センサ部２０３、制御部２０４、第１の切り替え部２０５、第２の切り替え部２０６、第３の切り替え部２０７、映像加工部２０８、表示部１０４、３つのスピーカ１０５，１０６，１０７、及び操作部２０９から構成されている。
【００４４】
制御部２０２は、図示しないメモリから映像データと音声データを読み出し、映像データを映像再生部２０１に出力し、音声データを音声再生部２０２に出力する。映像再生部２０１は、映像データを再生する。映像再生部２０１からの映像出力は、映像加工部２０８に供給される。映像加工部２０８は、ヒンジ角度センサ部２０３により検出された、操作部筐体１０１に対する表示部筐体１０２の角度に応じて、表示部１０４に表示すべき映像が正立するように映像データを加工（リサイズ、回転）し、表示部１０４で表示する。
【００４５】
また、音声再生部２０２は、ステレオ音声を再生する。音声再生部２０２からの右（Ｒ）成分音声出力は、第１の音声切り替え部２０５を介して、スピーカ１０５（表示部筐体１０２の回転式ヒンジ部１０３側の一方に位置するスピーカ）、第２の音声切り替え部２０６を介して、スピーカ１０６（表示部筐体１０２の回転式ヒンジ部１０３側の他方に位置するスピーカ）、または第３の音声切り替え部２０７を介して、スピーカ１０７（表示部筐体１０２の回転式ヒンジ部１０３側と反対側の略中央部に位置するスピーカ）のいずれか１つに供給される。
【００４６】
同様に、音声再生部２０４からの左（Ｌ）成分音声出力は、第１の音声切り替え部２０５を介して、スピーカ１０５、第２の音声切り替え部２０６を介して、スピーカ１０６、または第３の音声切り替え部２０７を介して、スピーカ１０７のいずれか１つに供給される。上記第１の音声切り替え部２０５、第２の音声切り替え部２０６および第３の音声切り替え部２０７は、制御部２０４により切り替え制御される。基本的には、図２（ａ）に示す状態を基準とし、スピーカ１０５が左（Ｌ）成分の音声を出力し、スピーカ１０６が右（Ｒ）成分の音声を出力するようになっている。
【００４７】
ヒンジ角度センサ部２０３は、回転式ヒンジ部１０３の角度、すなわち操作部筐体１０１に対する表示部筐体１０２の角度を検出する。制御部２０１は、上記ヒンジ角度センサ部２０３の検出結果に従って、スピーカ１０５，１０６，１０７のうち、表示部１０４に表示されている正立した表示映像に対して、最右側に位置するスピーカと最左側に位置するスピーカとを特定し、最右側に位置するスピーカからステレオ音声の右音声を出力し、最左側に位置するスピーカから左音声を出力するように、第１の切り替え部２０５、第２の切り替え部２０６、第３の切り替え部２０７の切り替えを制御する。
【００４８】
また、制御部２０１は、操作部２１５からの、ユーザから操作（携帯端末２００に対する指示や、文字入力操作等）を受け入れ、その操作に対応した制御を行う。
【００４９】
Ａ−２．第１実施形態の動作
次に、上述した第２実施形態の動作について説明する。ここで、図３は、本第１実施形態による携帯端末２００の動作を説明するためのフローチャートである。制御部２０４は、再生が開始されると、ヒンジ角度センサ部２０３から操作部筐体１０１に対する表示部筐体１０２の角度を検出し、該検出結果に従って、ユーザが操作部筐体１０１を手に持って見た場合にユーザから見て最右スピーカ（表示部１０４に表示した正立した表示映像に対して最も右側に位置するスピーカ）がスピーカ１０５，スピーカ１０６，スピーカ１０７のどれになるかを判定する（Ｓ１０）。
【００５０】
上記判定方法の一例としては、表示部筐体１０２と操作部筐体１０１，回転式ヒンジ部１０３，スピーカ１０５，スピーカ１０６，スピーカ１０７の取り付け位置や各辺の長さと回転角度との関係を計算し、操作部筐体１０１に対する表示部筐体１０２がどの角度になった場合に最右スピーカがどれになるかを予め計算しておけばよい。
【００５１】
例えば、図１（ｂ）、（ｃ）、（ｄ）のいずれかの状態にある場合には、スピーカ１０５が最右スピーカと判定される。この場合、制御部２０４は、音声再生部２０２の右音声（Ｒチャネル）出力がスピーカ１０７に供給されるように、第３の音声切り替え部２０７を制御する（Ｓ１２）。また、例えば、図１（ｈ）、（ａ）のいずれかの状態にある場合には、スピーカ１０６が最右スピーカと判定される。この場合、制御部２０４は、音声再生部２０２の右音声（Ｒチャネル）出力がスピーカ１０６に供給されるように、第２の音声切り替え部２０６を制御する（Ｓ１４）。また、例えば、図１（ｅ）、（ｆ）、（ｇ）のいずれかの状態にある場合には、スピーカ１０５が最右スピーカと判定される。この場合、制御部２０４は、音声再生部２０２の右音声（Ｒチャネル）出力がスピーカ１０５に供給されるように、第１の音声切り替え部２０５を制御する（Ｓ１６）。
【００５２】
次に、ヒンジ角度センサ部２０３よる検出結果に従って、ユーザから見て最左スピーカ（表示部１０４に表示した正立した表示映像に対して最も左側に位置するスピーカ）がスピーカ１０５，スピーカ１０６，スピーカ１０７のどれになるかを判定する（Ｓ１８）。
【００５３】
例えば、図１（ｈ）、（ｇ）、（ｆ）のいずれかの状態にある場合には、スピーカ１０７が最左スピーカと判定される。この場合、制御部２０４は、音声再生部２０２の左音声（Ｌチャネル）出力がスピーカ１０７に供給されるように、第３の音声切り替え部２０７を制御する（Ｓ２０）。また、例えば、図１（ｄ）、（ｅ）のいずれかの状態にある場合には、スピーカ１０６が最左スピーカと判定される。この場合、制御部２０４は、音声再生部２０２の左音声（Ｌチャネル）出力がスピーカ１０６に供給されるように、第２の音声切り替え部２０６を制御する（Ｓ２２）。また、例えば、図１（ａ）、（ｂ）、（ｃ）のいずれかの状態にある場合には、スピーカ１０５が最左スピーカと判定される。この場合、制御部２０４は、音声再生部２０２の左音声（Ｌチャネル）出力がスピーカ１０５に供給されるように、第１の音声切り替え部２０５を制御する（Ｓ２４）。
【００５４】
次に、最右スピーカ判定（Ｓ１０）においても最左スピーカ判定（Ｓ１８）においても選択されなかったスピーカ（スピーカ１０５，スピーカ１０６，スピーカ１０７のいずれか）に、音声再生部２０２の出力が供給されないように、制御部２０４は、第１の音声切り替え部２０５、第２の音声切り替え部２０６および第３の音声切り替え部を制御し、該当スピーカを解放する（Ｓ２６）。
【００５５】
さらに、映像加工部２０８は、ヒンジ角度センサ部２０３からの検出結果に従って、映像再生部２０１が出力する映像に対して回転とリサイズ（表示映像の大きさを変える）を行う（Ｓ２８）。例えば、図１（ｂ）に示す状態の場合、ユーザが操作部筐体１０１を手に持った状態で表示画面１０４の表示映像が正立するように、表示部１０４に表示する映像の上部方向と操作部筐体１０１の上部方向とが同じ方向となるように映像再生部２０１が出力する映像を回転し、さらに表示部１０４に映像がすべて表示される大きさにリサイズする。すなわち、図１（ｂ）の状態では、図１（ａ）の映像の状態と比較して半時計方向に４５度映像を回転させ、表示部１０４に表示可能な大きさにリサイズしている。
【００５６】
また、図１（ｃ）や図１（ｇ）もしくは図示しない角度においては、最右もしくは最左スピーカが２つ存在すると判定される場合があるが、この場合は、最右もしくは最左スピーカが２つ存在すると判定される前の状態の接続を保持してもよい。例えば、図１（ｂ）から図１（ｃ）へ回転させた場合、左音声（Ｌチャネル）はスピーカ１０５から出力させるが、図１（ｄ）から図１（ｃ）へ回転させた場合には、図１（ｂ）から図１（ｃ）への変化とは異なり、左音声（Ｌチャネル）をスピーカ１０６から出力させるようにしてもよい。このようにして、出力スピーカの変更を少なくしてユーザに違和感を与えないようにすることもできる。
【００５７】
ここで、図４は、上述した本第１実施形態における、左右のスピーカ割り当て例を示す概念図である。スピーカＡ１０５から左音声（Ｌチャネル）を出力する場合は、図１（ａ）、図１（ｂ）、図１（ｃ）であり、スピーカ１０５から右音声（Ｒチャネル）を出力する場合は、図１（ｅ）、図１（ｆ）、図１（ｇ）である。また、スピーカ１０６から左音声（Ｌチャネル）を出力する場合は、図１（ｄ）、図１（ｅ）であり、スピーカ１０６から右音声（Ｒチャネル）を出力する場合は、図１（ａ）、図１（ｈ）である。また、スピーカ１０７から左音声（Ｌチャネル）を出力する場合は、図１（ｆ）、図１（ｇ）、図１（ｈ）であり、スピーカ１０７から右音声（Ｒチャネル）を出力する場合は、図１（ｂ）、図１（ｃ）、図１（ｄ）である。
【００５８】
なお、本第１実施形態では、４５度単位の回転角度を用いて説明したが、回転途中の角度であっても構わない。回転途中の回転である場合、スピーカの切り替わりが行われる角度近辺では、頻繁な切り替えが起こらないよう微小変化ではスピーカの切り替えを行わず、一定の角度以上の変化が合った場合にだけスピーカの切り替えを行うようにしてもよい。
【００５９】
また、本第１実施形態では、操作部筐体１０１と表示部筐体１０２とが平面的に３６０度回転する例を用いて示したが、この構造に限定するものではなく、表示部１０４と、３つのスピーカ（スピーカ１０５，スピーカ１０６，スピーカ１０７）とを搭載する表示部筐体１０２がユーザから見て回転する構造であればよい。さらに、折り畳み式の構造であっても構わない。
【００６０】
また、映像加工部２０８では、回転のみを行いリサイズをしないことで、表示する映像中の人物や物体を一定の大きさに保ってもよい。また、映像加工部２０８では、表示すべき映像の回転やリサイズも行わず、音声のみを制御してステレオ音声を再生するようにしてもよい。また、前記スピーカの切り替えを操作部２０９からのユーザ指示によって実現させてもよい。
【００６１】
上述した第１実施形態によれば、ユーザが操作部筐体１０１と表示部筐体１０２とを回転式ヒンジ部１０３を中心に回転させても、ステレオ音声の右音声を表示部１０４に表示している正立した表示映像の右側から、左音声を表示部１０４に表示している正立した表示映像の左側から再生することができ、ユーザ好みの視聴スタイルで視聴することが可能となり、ユーザの利便性を向上させることができる。
【００６２】
Ｂ．第２実施形態
次に、本発明の第２実施形態について説明する。第２実施形態は、図１に示す第１実施形態による携帯端末における、端末を回転させた状態でのスピーカからの出力音声の音像定位を制御し、右音声は画面の右、左音声は画面の左、中心音声は画面中央から聞こえるようにするものである。
【００６３】
図５は、本第２実施形態による携帯端末４００の構成を示すブロック図である。図５に示すように、本第２実施形態では、前述した第１実施形態の構成において、ＬＲ信号を単に切り替える音声切り替え部（第１の音声切り替え部２０５、第２の音声切り替え部２０６、第３の音声切り替え部２０７）を、ＬＲ信号を任意に混合するミキシング部（切り替え部に対応した第１のミキシング部４０１、第２のミキシング部４０２、第３のミキシング部４０３）に置き換えたものである。なお、図２に対応する部分には同一の符号を付けて説明を省略する。
【００６４】
図６は、本第２実施形態による携帯端末４００の動作を説明するためのフローチャートである。該フローチャートでは、映像再生時における回転式ヒンジ部１０３を回転軸として、携帯端末４００の表示部筐体１０２を操作部筐体１０１に対して回転させた場合においても正しく音像定位を行ったステレオ音声を再生する手順について説明する。
【００６５】
再生開始されると、ヒンジ角度センサ部２０３は、現在のヒンジ角度を検出して制御部２０４に供給する。制御部２０４は、検出結果を受けてスピーカ１０５の位置に応じた音声がスピーカ１０５から出力できるように、右音声信号と左音声信号とを第１のミキシング部４０１で合成する（Ｓ４０）。同様に、スピーカ１０６の位置に応じた音声をスピーカ１０６から出力できるように、右音声信号と左音声信号とを第２のミキシング部４０２で合成する（Ｓ４２）。また、同様にしてスピーカ１０７の位置に応じた音声をスピーカ１０７から出力できるように、右音声信号と左音声信号とを第３のミキシング部４０３で合成する（Ｓ４４）。
【００６６】
上記合成の一例として、図１（ａ）の状態では、スピーカ１０５には１００％の強度の左音声信号だけを出力するように第１のミキシング部４０１を制御する（Ｓ４０）。スピーカ１０６には１００％の強度の右音声信号だけを出力するように第２のミキシング部４０２を制御する（Ｓ４２）。そして、スピーカ１０７からは左音声信号も右音声信号も出力しないように第３のミキシング部４０３を制御する（Ｓ４４）。
【００６７】
また、図１（ｃ）の状態では、スピーカ１０５には５０％の強度の左音声信号と、０％の強度の右音声信号とを加算して出力するように第１のミキシング部４０１を制御する（Ｓ４０）。スピーカ１０６には５０％の強度の左音声信号と、０％の強度の右音声信号とを加算して出力するように第２のミキシング部４０２を制御する（Ｓ４２）。さらに、スピーカ１０７には０％の強度の左音声信号と、１００％の強度の右音声信号とを加算して出力するように第３のミキシング部４０３を制御する（Ｓ４４）。
【００６８】
図１（ｂ）の状態は、図１（ａ）と図１（ｃ）との中間の状態であり、表示部１０４の左右からステレオ音声が正しく再生できるように、第１のミキシング部４０１、第２のミキシング部４０２、第３のミキシング部４０３を制御してスピーカ１０５、スピーカ１０６、スピーカ１０７から音声を出力する。
【００６９】
以下、図１（ｂ）から（ｈ）においても同様であり、ヒンジ角度センサ部２０３によって検出される角度に従って、スピーカ１０５、スピーカ１０６、スピーカ１０７の位置に応じて第１のミキシング部４０１と、第２のミキシング部４０２と、第３のミキシング部４０３とをそれぞれ制御し、スピーカ１０５、スピーカ１０６、スピーカ１０７へ出力する音声信号を制御することで、どの角度においても右音声は画面の右、左音声は画面の左、中央音声は画面中央から聞こえるように音像定位を制御することが可能となる。
【００７０】
また、前記音像定位の説明では、音声信号の強度を例にあげて説明したが、これに限定するものではなく、信号の位相制御や遅延時間の制御を行って音像定位を制御してもよい。また、音像定位を操作部２０９からのユーザ指示によって実現させてもよい。
【００７１】
上述した第２実施形態によれば、ユーザが操作部筐体１０１と表示部筐体１０２とを回転式ヒンジ部１０３を中心に回転させても、ステレオ音声の右音声を表示部１０４に表示している正立した表示映像の右側から、左音声を表示部１０４に表示している正立した表示映像の左側から、更に中央音声を表示部１０４に表示している正立した表示映像の中央から再生することができ、ユーザ好みの視聴スタイルで視聴することが可能となり、ユーザの利便性を向上させることができる。
【００７２】
Ｃ．第３実施形態
次に、本発明の第３実施形態について説明する。
Ｃ−１．第３実施形態の構成
図７は、本第３実施形態による携帯端末７００の構成を示すブロック図である。なお、図２に対応する部分には同一の符号を付けて説明を省略する。図において、傾きセンサ部７０１は、前述した第１実施形態におけるヒンジ角度センサ部２０３を置き換えたものであり、表示部１０４の水平面に対する角度を検出する。本第３実施形態は、傾きセンサ部７０１によって表示部１０４が向いている角度を検出し、該傾き角度に応じてステレオ音声を正しく再生するものである。
【００７３】
Ｃ−２．第３実施形態の動作
次に、第３実施形態の動作について説明する。ここで、図８は、本第３実施形態において、表示部１０４を回転させた場合におけるステレオ音声を正しく再生する様子を示す模式図である。本第３実施形態の動作は、前述した第１実施形態における図３に示すフローと同様であり、最右スピーカ判定（ステップＳ１０）、最左スピーカ判定（ステップＳ１８）で判定する要因を、ヒンジ角度センサ部２０３からの検出結果から傾きセンサ部７０１の検出結果に置き換えたものである。
【００７４】
なお、図８では、表示部１０４のみを図示して説明しているが、第１実施形態の図１に示すように、操作部筐体１０１が接続されていて、どの角度となっていてもよい。また、折り畳み式の形状であってもよい。
【００７５】
さらに、第１の音声切り替え部２０５、第２の音声切り替え部２０６、第３の音声切り替え部２０７の代わりに、第２実施形態の第１のミキシング部４０１、第２のミキシング部４０２、第３のミキシング部４０３によって音像定位の制御をしてもよい。また、スピーカの切り替えを操作部２０９からのユーザ指示によって実現させてもよい。
【００７６】
上述した第３実施形態によれば、表示部１０４の傾きに応じて、ステレオ音声の右音声を表示部１０４に表示している正立した表示映像の右側から、左音声を表示部１０４に表示している正立した表示映像の左側から再生することができ、ユーザ好みの視聴スタイルで視聴することが可能となり、ユーザの利便性を向上させることができる。
【００７７】
なお、上述した第１ないし第３実施形態では、３つのスピーカ１０５、スピーカ１０６、スピーカ１０７を用いた例について説明したが、これに限定するものではなく、表示部１０４の４隅もしくは４辺の各々に配置された４つのスピーカで実現してもよい。あるいは、４つ以上であってもよい。４つ以上のスピーカを用いることで、３つのスピーカによるステレオ再生よりも、ステレオ音声の再現性をより良くすることが可能となる。
【図面の簡単な説明】
【００７８】
【図１】本第１実施形態による携帯端末２００の操作部筐体に対する表示部筐体の回転角度に応じてステレオ音声を正しく出力する状態を示す模式図である。
【図２】本発明の第１実施形態によるステレオ音声再生機能付携帯端末の略構成を示すブロック図である。
【図３】本第１実施形態による携帯端末２００の動作を説明するためのフローチャートである。
【図４】本第１実施形態における、左右のスピーカ割り当て例を示す概念図である。
【図５】本発明の第２実施形態による携帯端末４００の構成を示すブロック図である。
【図６】本第２実施形態による携帯端末４００の動作を説明するためのフローチャートである。
【図７】本発明の第３実施形態による携帯端末７００の構成を示すブロック図である。
【図８】本第３実施形態において、表示部１０４を回転させた場合におけるステレオ音声を正しく再生する様子を示す模式図である。
【符号の説明】
【００７９】
１０１  操作部筐体
１０２  表示部筐体
１０３  回転式ヒンジ部（回転式ヒンジ手段）
１０４  表示部（表示手段）
１０５  スピーカ（第１のスピーカ）
１０６  スピーカ（第２のスピーカ）
１０７  スピーカ（第３のスピーカ）
２０１  映像再生部
２０２  音声再生部（音声再生制御手段）
２０３  ヒンジ角度センサ部（検出手段、角度検出手段）
２０４  制御部（スピーカ特定手段）
２０５  第１の音声切り替え部（音声出力切替手段）
２０６  第２の音声切り替え部（音声出力切替手段）
２０７  第３の音声切り替え部（音声出力切替手段）
２０８  映像加工部（映像加工手段）
２０９  操作部
４０１  第１のミキシング部（混合手段）
４０２  第２のミキシング部（混合手段）
４０３  第３のミキシング部（混合手段）
７０１  傾きセンサ部（検出手段、傾き検出手段）
【図１】
2006174277.tif 000003
【図２】
2006174277.tif 000004
【図３】
2006174277.tif 000005
【図４】
2006174277.tif 000006
【図５】
2006174277.tif 000007
【図６】
2006174277.tif 000008
【図７】
2006174277.tif 000009
【図８】
2006174277.tif 000010